Podtech/llm-jp-corpus-v4-ja_patent huggingface dataset:
【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
単線（１３、１４）の集合体を含む、建築構造物（１）用の補強材において、前記線材（１３、１４）が互いにほぼ平行であって束を形成すること、および、前記束を包み込んで、該束に凝集力を与えるプラスチックのシース（１２、２２、４２）を有することを特徴とする補強材。
【請求項２】
前記単線（１３、１４）が金属線材であり、前記シース（１２、２２、４２）が前記束の上に押出し加工された可撓性のプラスチックで作られている、請求項１に記載の補強材。
【請求項３】
前記単線（１３、１４）が複合体で作られた線材であり、前記シース（１２、２２、４２）が前記束の上に押出し加工された可撓性のプラスチックで作られている、請求項１に記載の補強材。
【請求項４】
線材（１３、１４）の束が前記中心線材（１３）と周辺線材（１４）を含み、前記周辺線材（１４）が前記中心線材（１３）に接し、かつ互いに分離して溝（１５）を形成している、請求項１から３のいずれか一項に記載の補強材。
【請求項５】
前記シース（１２、２２、４２）が円筒状の外形を有し、かつ凹所（１８、２８）および突起（１９、２９）を有するローブ付き内壁（１７、２７）を有し、前記周辺線材（１４）が前記凹所（１８、２８）内に収納され、前記突起（１９、２９）が前記溝（１５）中に延びている、請求項４に記載の補強材。
【請求項６】
前記シース（１２）が、断面が円形の外壁（１６）を有する、請求項５に記載の補強材。
【請求項７】
前記シース（２２）が、断面がローブ付き形状の外壁（２６）を有する、請求項５に記載の補強材。
【請求項８】
前記シース（４２）が、断面がほぼ多角形形状の外壁（４６）を有する、請求項５に記載の補強材。
【請求項９】
前記シース（１２、２２、４２）および前記線材（１３、１４）が、ワックスおよびグリースから選択された潤滑剤で充填されるギャップを画定している、請求項６から８のいずれか一項に記載の補強材。
【請求項１０】
前記シース（１２、２２、４２）および前記線材（１３、１４）が、接着装置を使用して充填されるギャップを画定している、請求項６から８のいずれか一項に記載の補強材。
【請求項１１】
請求項１から１０のいずれか一項に記載の補強材（１０、２０、３０、４０）を少なくとも２つ含む建築構造物用ケーブル。
【請求項１２】
前記補強材（１０、２０、３０、４０）をドラム上に平行に巻き付け、１回転に１回の完全な撚りを加えることによる、請求項１から１０のいずれか一項に記載の補強材をパッケージする方法。
【請求項１３】
請求項１から１０のいずれか一項に記載の補強材を建築物内で実施する方法において、前記補強材（１０、２０、３０、４０）の少なくとも一部分において、前記単線（１３、１４）をむき出しにし、前記補強材（１０、２０、３０、４０）に張力を働かせるように、前記むき出しの線材を前記建築物（１）の少なくとも１つの一構成部分（６）に固定することを特徴とする方法。
【請求項１４】
前記補強材（１０、２０、３０、４０）の単線（１３、１４）の集合体をアンカー・ジョー・アセンブリ内でまとめて楔留めする、請求項１３に記載の方法。
【手続補正２】
【補正対象書類名】明細書
【補正対象項目名】００１０
【補正方法】変更
【補正の内容】
【００１０】
この目的のため、本発明によれば、当該の種類の補強材は、線材が互いにほぼ平行で束を形成すること、および、前記束を包み込んで、それに凝集力を与えるプラスチックのシースを含むことを実質的に特徴とする。


【手続補正３】
【補正対象書類名】明細書
【補正対象項目名】００１２
【補正方法】変更
【補正の内容】
【００１２】
本発明による補強材の好ましい実施態様では、下記の規定のうちの１つまたは／および別のものがさらに利用される。
−単線は、金属線材であり、シースは、束の上に押出し加工された可撓プラスチックで作られている。
−単線は、複合体で作られ、シースは、束の上に押出し加工された可撓性のプラスチックで作られている。
−線材の束は、中心線材と周辺線材よりなり、周辺線材は中心線材に接し、互いから分離して溝を形成している。
−シースは円筒状の外形を有し、かつ凹所および突起を有するローブ付き内壁を有し、周辺線材が凹所内に収納され、突起が溝中に延びている。
−シースは、断面が円形の外壁を有する。
−シースは、断面がローブ付き形状の外壁を有する。
−シースは、断面がほぼ多角形形状の外壁を有する。
−シースおよび線材は、ワックスおよびグリースから選択された潤滑剤で充填されるギャップを画定する。
−シースおよび線材は、接着装置を使用して充填されるギャップを画定する。
【手続補正書】
【提出日】平成17年1月31日(2005.1.31)
【手続補正１】
【補正対象書類名】明細書
【補正対象項目名】特許請求の範囲
【補正方法】変更
【補正の内容】
【特許請求の範囲】
【請求項１】下記の一般式（１）
【化１】
2003509413.tif 000001
〔式中、Ｒ1は水素原子又は炭素数１〜４のアルカノイル基を示し、Ｘはフッ素原
子又はその同位体を示す〕
で表されるニトロイミダゾール誘導体。
【請求項２】Ｘが、18Ｆである請求項１記載のニトロイミダゾール誘導体。
【請求項３】請求項１又は２記載のニトロイミダゾール誘導体を有効成分とする画像診断薬。
【請求項４】虚血部位又は癌細胞をイメージングするためのものである請求項３記載の画像診断薬。
【請求項５】癌細胞が化学療法剤抵抗性又は放射線抵抗性の癌細胞である請求項４記載の画像診断薬。
【請求項６】下記の一般式（２）
【化２】
2003509413.tif 000002
〔式中、Ｒ1は水素原子又は炭素数１〜４のアルカノイル基を示す〕
で表されるニトロイミダゾール誘導体。
【請求項７】下記の一般式（２）
【化３】
2003509413.tif 000003
〔式中、Ｒ1は水素原子又は炭素数１〜４のアルカノイル基を示す〕
で表されるニトロイミダゾール誘導体をフッ素化することを特徴とする請求項１記載のニトロイミダゾール誘導体の製造法。
【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】  （ａ）アルキルおよび／またはアルケニルオリゴグリコシド、および
（ｂ）酒石酸、リンゴ酸もしくはクエン酸の部分エステルおよび／またはその塩
を成分（ａ）：成分（ｂ）の重量比６０：４０ないし４０：６０で含有する化粧品製剤および／または医薬製剤。
【請求項２】  成分（ａ）として、式（Ｉ）：
Ｒ1Ｏ−[Ｇ]p          （Ｉ）
［式中、Ｒ1は、炭素原子数４〜２２のアルキルおよび／またはアルケニル基であり、Ｇは炭素原子数５または６の糖単位であり、ｐは１〜１０の値である。］
で示されるアルキルおよびアルケニルオリゴグリコシドを含有する請求項１に記載の製剤。
【請求項３】  成分（ｂ）として、酒石酸、リンゴ酸またはクエン酸とＣ6-22脂肪アルコールとの部分エステルを含有する請求項１または２に記載の製剤。
【請求項４】  成分（ｂ）として、酒石酸、リンゴ酸またはクエン酸と、アルキル（アルケニル）オリゴグリコシドに対応するアルキル（アルケニル）基を有する脂肪アルコールとの部分エステルを含有する請求項１〜３のいずれかに記載の製剤。
【請求項５】  成分（ｂ）として、アルカリ金属塩、アルカリ土類金属塩、アンモニウム塩、アルキルアンモニウム塩、アルカノールアンモニウム塩またはグルカンモニウム塩として存在する酒石酸、リンゴ酸またはクエン酸の部分エステルを含有する請求項１〜４のいずれかに記載の製剤。
【請求項６】  成分（ｂ）として、Ｃ10-18脂肪アルコールとの酒石酸部分エステルを含有する請求項１〜５のいずれかに記載の製剤。
【請求項７】  成分（ｂ）として、Ｃ10-18脂肪アルコールとのリンゴ酸部分エステルを含有する請求項１〜６のいずれかに記載の製剤。
【請求項８】  アルキルおよび／またはアルケニルオリゴグリコシドと、酒石酸、リンゴ酸またはクエン酸の部分エステルとを、重量比１：９９ないし９９：１で含有する請求項１〜７のいずれかに記載の製剤。
【請求項９】  穏やかな界面活性剤、油成分、乳化剤、過脂肪剤、真珠光沢ワックス、コンシステンシー調節剤、増粘剤、ポリマー、シリコーン化合物、脂肪、ワックス、レシチン、リン脂質、安定剤、生体由来物質、防臭剤、制汗剤、フケ防止剤、フィルム形成剤、膨潤剤、ＵＶ保護剤、抗酸化剤、ヒドロトロープ、防腐剤、防虫剤、日焼け剤、チロシン抑制剤、可溶化剤、香油および／または色素を更に含有する請求項１〜８のいずれかに記載の製剤。
【請求項１０】  （ａ）アルキルおよび／またはアルケニルオリゴグリコシド、および
（ｂ）酒石酸、リンゴ酸もしくはクエン酸の部分エステルおよび／またはその塩
を成分（ａ）：成分（ｂ）の重量比６０：４０ないし４０：６０で含有する混合物の、化粧品製剤および／または医薬製剤を製造するための使用。
【手続補正書】
【提出日】平成15年9月18日(2003.9.18)
【手続補正１】
【補正対象書類名】明細書
【補正対象項目名】特許請求の範囲
【補正方法】変更
【補正の内容】
【特許請求の範囲】
【請求項１】
構造：
【化１】
2003509408.tif 000001
［式中、Ｒ1またはＲ3は、メトキシ基であり；
Ｒ5はＯＲ8であり、ここでＲ8は水素またはアルキル基であり；
そしてＲ1からＲ7の残りが全て水素であるか、またはＲ1からＲ7の残りのうち少なくとも１つが、
・ホスフェートエステル部分（−ＯＰ（Ｏ）（Ｏ-Ｍ+）2）（ここでＭ+は製薬学的に許容できるカチオンである）か、または、（−ＯＰ（Ｏ）（ＯＲ）2）（ここでＲは炭素原子８個までをもつ同じか異なるアルキル基である）；および
・ホスホルアミデート（−ＮＰ（Ｏ）（Ｏ-Ｍ+）2）（ここでＭ+は製薬学的に許容できるカチオンである）か、または、（−ＮＰ（Ｏ）（ＯＲ）2）（ここでＲは同じか異なり炭素原子８個までをもつアルキル基である）；
から選択され、但し、Ｒ5がメトキシのときは、上記Ｒ1からＲ7の残りのうち少なくとも１つは、代わりに或いは更に加えて、
・ヒドロキシ基；および
・アミン基（ＮＨ2、ＮＨＲ9、またはＮＲ9Ｒ10、ここでＲ9とＲ10は同じか異なり且つ炭素原子８個までをもつアルキル基から選択される）、
から選択される］
の化合物、または製薬学的に許容できるその塩。
【請求項２】
Ｒ5がメトキシであり、且つＲ1とＲ3のうち少なくとも１つがメトキシである、請求項１記載の化合物。
【請求項３】
上記Ｒ1からＲ7の残りが全て水素である、請求項２記載の化合物。
【請求項４】
Ｒ7がＯＨであり、且つＲ1、Ｒ2、Ｒ4およびＲ6が全て水素である、請求項２記載の化合物。
【請求項５】
Ｒ7が上記アミン基であり、且つＲ1、Ｒ2、Ｒ4およびＲ6が全て水素である、請求項２記載の化合物。
【請求項６】
Ｒ7が−ＮＨ2である、請求項５記載の化合物。
【請求項７】
Ｒ7が上記ホスフェートエステル部分であり、且つＲ1、Ｒ2、Ｒ4およびＲ6が全て水素である、請求項２記載の化合物。
【請求項８】
Ｒ7が−ＯＰ（Ｏ）（Ｏ-Ｎａ+）2である、請求項２記載の化合物。
【請求項９】
Ｒ7が上記ホスホルアミデートであり、且つＲ1、Ｒ2、Ｒ4およびＲ6が全て水素である、請求項７記載の化合物。
【請求項１０】
Ｒ7が−ＮＰ（Ｏ）（ＯＣＨ2ＣＨ3）2である、請求項９記載の化合物。
【請求項１１】
Ｒ7が−ＮＰ（Ｏ）（Ｏ-Ｎａ+）2である、請求項９記載の化合物。
【請求項１２】
構造：
【化２】
2003509408.tif 000002
［式中、Ｒ1またはＲ3は、メトキシ基であり；
Ｒ5はＯＲ8であり、ここでＲ8は水素またはアルキル基であり；
そしてＲ1からＲ7の残りが全て水素であるか、またはＲ1からＲ7の残りのうち少なくとも１つが、
・ホスフェートエステル部分（−ＯＰ（Ｏ）（Ｏ-Ｍ+）2）（ここでＭ+は製薬学的に許容できるカチオンである）か、または、（−ＯＰ（Ｏ）（ＯＲ）2）（ここでＲは炭素原子８個までをもつ同じか異なるアルキル基である）；および
・ホスホルアミデート（−ＮＰ（Ｏ）（Ｏ-Ｍ+）2）（ここでＭ+は製薬学的に許容できるカチオンである）か、または、（−ＮＰ（Ｏ）（ＯＲ）2）（ここでＲは同じか異なり炭素原子８個までをもつアルキル基である）；
から選択され、但し、Ｒ5がメトキシのときは、上記Ｒ1からＲ7の残りのうち少なくとも１つは、代わりに或いは更に加えて、
・フェノール性部分；および
・アミン基（ＮＨ2、ＮＨＲ9、またはＮＲ9Ｒ10、ここでＲ9とＲ10は同じか異なり且つ炭素原子８個までをもつアルキル基から選択される）、
から選択される］
の化合物、または製薬学的に許容できるその塩。
【請求項１３】
構造：
【化３】
2003509408.tif 000003
［式中、Ｒは炭素原子８個までをもついずれかの適当なアルキルまたは分枝アルキルに選ばれ、２つのＲ基は同じか異なり、且つＭ+は製薬学的に許容できる塩である］
の化合物。
【請求項１４】
有効成分として請求項１−１３のいずれかに記載の化合物を含む、チューブリン含有系におけるチューブリン重合を阻害するための製薬学的調製物。
【請求項１５】
上記系が腫瘍細胞中にある、請求項１４に記載の製薬学的調製物。
【請求項１６】
有効成分として請求項１−１３のいずれかに記載の化合物を含む、新生物形成疾患を罹患している宿主を治療するための製薬学的調製物。
【請求項１７】
有効成分として請求項１−１３のいずれかに記載の化合物を含む、白血病、黒色腫、および肺、結腸、甲状腺、ＣＮＳ、卵巣、肛門、前立腺および乳癌を含む群の癌を治療するための製薬学的調製物。
【請求項１８】
製薬学的に許容できるキャリアーといっしょに有効成分としての請求項１−１３のいずれかに記載の化合物を含む、製薬学的調製物。
【請求項１９】
有効成分として請求項１−１３のいずれかに記載の化合物を含む、腫瘍脈管構造を選択的に標的とし、そして破壊するための製薬学的調製物。
【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】  半導体作製方法であって、
シリコン基板内にトレンチを作り出すステップを含み、該トレンチは該基板の上表面に角部を含み、前記方法はさらに、
該基板の上表面に垂直な角度から約３０°を超える角度で、電気的に中性のイオン種を注入することによって、前記シリコン基板の前記角部に局所ダメージを作り出すステップと、
熱酸化プロセスによって前記分離トレンチのサイドウォール上およびフロア上にライナー酸化物を形成するステップとを含み、前記シリコン基板の前記局所ダメージの領域における酸化速度は、前記シリコン基板の残りの部分の酸化速度よりも速く、そのため、前記熱酸化プロセスは前記シリコン基板の角部の面取りを行ない、前記方法はさらに、
前記分離トレンチを分離誘電体で埋めるステップを含む、半導体作製方法。
【請求項２】  前記シリコン基板のための開始材料は、ｐ＋シリコンバルク上に形成されるｐ−型エピタキシャル層を含み、前記エピタキシャル層の抵抗率は約１０から約１５Ωｃｍの範囲内である、請求項１に記載の半導体作製方法。
【請求項３】  該トレンチを形成するために使用されるパターニングされたフォトレジストをさらに含む、請求項１に記載の半導体作製方法。
【請求項４】  前記イオンを注入するプロセスは、シリコン、ゲルマニウムまたはアルゴンを含む注入種を利用する、請求項１に記載の半導体作製方法。
【請求項５】  前記イオンを注入するプロセスは、約５０から約２００ｋｅＶの範囲内の注入エネルギで達成される、請求項１に記載の半導体作製方法。
【請求項６】  前記局所ダメージは前記分離トレンチのサイドウォールの上部分に近接する前記シリコン基板の部分に限定される、請求項１に記載の半導体作製方法。
【請求項７】  前記局所ダメージを作り出す前記ステップは、
該基板の上に誘電体の間隔の距離だけ離した位置にパターニングされたマスクをおいて、約３０°を超える注入角度で行なわれるイオン注入プロセスの第１の組と、
前記パターニングされたマスクの除去後に、約３０°を超える注入角度で行なわれるイオン注入プロセスの第２の組とを含む、請求項１に記載の半導体作製方法。
【請求項８】  シリコン基板の角部を面取りするための半導体製法であって、前記角部は、前記シリコン基板の上表面に近接し前記シリコン基板内に形成される分離トレンチのサイドウォールに近接する、前記シリコン基板の部分を含み、前記製法は、
前記シリコン基板の活性領域上に保護層を形成するステップを含み、前記シリコン基板の前記活性領域は前記分離トレンチの両側に位置づけられ、前記製法はさらに、
該基板の上表面に垂直な角度から約３０°を超える角度で、電気的に中性のイオン種を注入することによって、前記シリコン基板の前記角部に局所ダメージを作り出すステップと、
熱酸化プロセスによって前記分離トレンチの前記サイドウォール上およびフロア上にライナー酸化物を形成するステップとを含み、前記シリコン基板の前記局所ダメージの領域における酸化速度は、前記シリコン基板の残りの部分の酸化速度よりも速く、そのため、前記シリコン基板の角部は実質的に面取りされる、シリコン基板の角部を面取りするための半導体製法。
【請求項９】  前記保護層は、前記分離トレンチの形成よりも前に前記シリコン基板上に堆積される誘電体層を含む、請求項８に記載のシリコン基板の角部を面取りするための半導体製法。
【請求項１０】  前記保護層はさらにフォトレジスト層を含む、請求項９に記載のシリコン基板の角部を面取りするための半導体製法。
【請求項１１】  前記イオン注入プロセスは、少なくとも１つの、４つの注入ステップの組を含み、前記シリコン基板は、連続した各注入間に９０°回転させられる、請求項８に記載のシリコン基板の角部を面取りするための半導体製法。
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
削井に挿入された穴掘りツールをパイプストリングの端部にて冷却するための装置であって、
前記削井に隣接する地表に配置された冷却機と；
前記柵井に隣接するように取り付けられ、掘削流体を受け取ってこれを前記冷却機へ運搬するための貯留構造と；
前記削井の上部に支持された掘削装置と；
前記の冷却機とパイプストリングとを接続するポンプ手段とで構成され、
前記パイプストリングは複数個のパイプセグメントからなり、個々のパイプセグメントは、外側チューブ部材とその内側に同軸に収容された内側チューブ部材とからなる環状中空部を有する二重管構造であり、しかも、個々のパルプセグメントの両端に管継手を備え、その管継手が、外側チューブ部材の第１端部に接続された上部管継手と、外側チューブ部材の第２端部に接続された下部管継手で構成され、上部管継手はその内部に内側チューブ部材の第１端部の平行延長部が収容される中央開口部を備え、下部管継手はその内部に内側チューブ部材の第２端部の平行延長部が収容される中央開口部を備え、前記の環状中空部に複数個の断熱性粒子が収容されている前記穴掘りツールの冷却装置。
【請求項２】  請求項１において、さらに、前記ツールおよびパイプストリングに隣接して配置される温度感知手段と；
前記ツールおよびパイプセグメントで感知された温度に対応する温度感知手段からの信号を受けるために接続され、その組合せを表示する制御信号を生成する論理手段と；
前記制御信号を受け取るために前記ポンプ手段に接続し、制御信号に従って、ポンプ手段の流量を制御する制御手段とを備えてなる装置。
【請求項３】  前記微粒子が全体に球状である請求項２に記載の装置。
【請求項４】  請求項３において、さらに、加圧された状態で不活性ガスを受け取るために前記外側部材に形成されたポートを含んでなる装置。
【請求項５】  一つのパイプセグメント（以下、これを前者と呼ぶ）の上部管継手が、他の一つのパイプグメント（以下、これを後者と呼ぶ）の下部管継手と係合し、前者の内側チューブ部材の第1端部が、後者の内側チューブ部材の第２端部と圧縮係合している請求項１記載の装置。
【請求項６】  請求項５において、さらに、前記ツールおよびパイプストリングに隣接するように配置された温度感知手段と；
前記ツールおよびパイプセグメントで感知された温度に対応する温度感知手段からの信号を受けるために接続され、その組合せを表示する制御信号を生成する論理手段と；
前記制御信号を受け取るために前記ポンプ手段に接続し、制御信号に従って、ポンプ手段の流量を制御する制御手段とを備えてなる装置。
【請求項７】  前記微粒子が全体に球状である請求項６に記載の装置。
【請求項８】  請求項７において、さらに、加圧された状態で不活性ガスを受け取るために前記外側部材に形成されたポートを含んでなる装置。
【請求項９】  前記微粒子がセラミック材で形成される請求項８に記載の装置。
【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】  交絡した感圧性接着性繊維と非感圧性繊維材料とから形成された凝集性ウェブを含む分配可能な不織粘着性ラップであって、前記感圧接着性繊維と非感圧性繊維材料との比及び前記ウェブの秤量は、前記ラップが少なくとも１００グラム／２．５ｃｍの引張り強さと、１〜３０グラム／２．５ｃｍの自身からのＴ−剥離力を有するようなものであり、また、前記感圧接着性繊維はウェブにわたって均一に分布されている、分配可能な不織粘着性ラップ。
【請求項２】  前記ラップは、５０パーセントの伸び率で少なくとも４０パーセントの弾性回復を有し、５０パーセントの伸び率で少なくとも７５グラム／２．５ｃｍ、かつ１０００グラム／２．５ｃｍ未満の力を有している請求項１記載の不織粘着性ラップ。
【請求項３】  前記ラップが４０〜２００グラム／ｍ2の秤量を有し、前記ラップの引張り強さが２０００グラム／２．５ｃｍ未満である請求項１に記載の不織粘着性ラップ。
【請求項４】  前記ラップの感圧接着性繊維が、感圧接着性相と熱可塑性相とのブレンドを含む請求項１に記載の不織粘着性ラップ。
【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】  少なくとも出力運転モード及びエンジンブレーキ運転モードを有した内燃エンジンであって、該エンジンが、
開位置と閉位置との間を選択的に動かされる少なくとも一つのエンジンシリンダ・エキゾーストバルブと、
出力運転モード及びエンジンブレーキ運転モードの際、前記少なくとも一つのエンジンシリンダ・エキゾーストバルブの選択的開きを許す複数のローブを有するカムと、
前記カムと前記少なくとも一つのエンジンシリンダ・エキゾーストバルブとの間に作動結合され、前記複数のローブに選択的に応答して、前記エンジンシリンダ・エキゾーストバルブを選択的に開くリンク機構と、
前記リンク機構を制御して、前記複数のローブに応答して前記エンジンシリンダ・エキゾーストバルブの開きを選択的に修正する制御手段とを有し、
出力運転モードの時でも及びエンジンブレーキ運転モードの時でも、前記制御手段が前記リンク機構を動かし、前記エンジンシリンダ・エキゾーストバルブを選択に作動させ、少なくとも一つの排気ガス再循環を作り出す、エンジン。
【請求項２】  請求項１によるエンジンにおいて、前記複数のローブが、少なくとも一つの排気ガス再循環を作り出す第１のローブと、エンジンブレーキ運転モードの時でも少なくとも一つの排気ガス再循環を作り出す第２のローブを有している、エンジン。
【請求項３】  請求項２によるエンジンにおいて、前記第１のローブは前記エンジンブレーキ運転モードの時作動していて、２サイクルブレーキ作用を作り出している、エンジン。
【請求項４】  請求項１によるエンジンにおいて、前記リンク機構が空動きリンク組立体である、エンジン。
【請求項５】  請求項４によるエンジンにおいて、前記リンク機構が、前記複数のローブに応答して往復運動する親ピストンと、前記親ピストンの動きに応答して選択的に往復運動して、前記エンジンシリンダ・エキゾーストバルブを選択的に開く子ピストンとを有している、エンジン。
【請求項６】  請求項４によるエンジンにおいて、前記リンク組立体が、前記カムと前記少なくとも一つのエンジンシリンダ・エキゾーストバルブの間に位置されたロッカーアーム組立体内に配置されている、エンジン。
【請求項７】  請求項１によるエンジンにおいて、前記制御手段が、前記少なくとも一つのエンジンシリンダ・エキゾーストバルブの作動を制御し、出力運転モードの時でも、排気ガス再循環のタイミング及び大きさの少なくとも一つを最適化する、エンジン。
【請求項８】  請求項１によるエンジンにおいて、前記制御手段が、前記少なくとも一つのエンジンシリンダ・エキゾーストバルブの作動を制御し、エンジンブレーキ運転モードの時でも、排気ガス再循環のタイミング及び大きさの少なくとも一つを最適化する、エンジン。
【請求項９】  出力運転モード及びエンジンブレーキ運転モードの時、内燃エンジンを運転する方法であって、該運転方法が、
第１カムローブに応答して少なくとも一つのエキゾーストバルブを選択的に動かし、出力運転モードの時でも、少なくとも一つの排気ガス再循環を作り出す工程と、
第２カムローブに応答して少なくとも一つのエキゾーストバルブを選択的に動かし、エンジンブレーキ運転モードの時でも、少なくとも一つの排気ガス再循環を作り出す工程とを有している、運転方法。
【請求項１０】  請求項９による運転方法において、該運転方法が、エンジンブレーキ運転モードの時、第１のカムローブに応答して前記少なくとも一つのエキゾーストバルブを選択的に動かして、２サイクルブレーキ作用を有効にする工程をさらに有している、運転方法。
【請求項１１】  請求項９による運転方法において、第１カムローブに応答して少なくとも一つのエキゾーストバルブを選択的に動かす前記工程が、出力運転モードの時でも、排気ガス再循環のタイミング及び大きさの少なくとも一つを最適化する工程を含んでいる、運転方法。
【請求項１２】  請求項９による運転方法において、第２カムローブに応答して少なくとも一つのエキゾーストバルブを選択的に動かす前記工程が、エンジンブレーキ運転モードの時でも、排気ガス再循環のタイミング及び大きさの少なくとも一つを最適化する工程を含んでいる、運転方法。
【手続補正書】
【提出日】平成16年4月12日(2004.4.12)
【手続補正１】
【補正対象書類名】明細書
【補正対象項目名】特許請求の範囲
【補正方法】変更
【補正の内容】
【特許請求の範囲】
【請求項１】  ＣＹＰ２Ａ酵素の活性の低下を必要とする状態の治療又は予防に用いるための組成物であって、（ｉ）ＣＹＰ２Ａ活性を阻害する物質；（ｉｉ）ＣＹＰ２Ａをコードする遺伝子の転写、翻訳又は両方を阻害する物質；及び（ｉｉｉ）ＣＹＰ２Ａをコードする遺伝子の全て又は一部を欠失させる物質から成る群から選択された１種類以上の物質の有効量を含む前記組成物。
【請求項２】  前記ＣＹＰ２Ａ酵素がＣＹＰ２Ａ６である、請求項１記載の組成物。
【請求項３】  前記状態が喫煙であり、ＣＹＰ２Ａ酵素の阻害がコチニンヘのニコチンの転化を阻害する、請求項１又は２に記載の組成物。
【請求項４】  前記組成物がさらにニコチンを含む、請求項１〜３のいずれかに記載の組成物。
【請求項５】  ＣＹＰ２Ａを阻害する前記物質が天然産出物である、請求項１〜４のいずれかに記載の組成物。
【請求項６】  前記天然産出物がＨｙｐｅｒｉｃｕｍ、Ｃｉｃｈｏｒｉｕｍ  ｉｎｔｙｂｕｓ、Ｂｏｕｇａｉｎｖｉｌｌｒａ  ｓｐｅｃｔａｂｉｌｌｉｓ及びこれらの抽出物から選択される、請求項５記載の組成物。
【請求項７】  ＣＹＰ２Ａを阻害する前記物質がメトキサレン、プソラレン、トラニルシプロミン、ピロカルピン、クマリン、クロモン、エスクレチン、フェネルジン、パロキセチン、セレギリン及びパルギリンから選択される、請求項１〜４のいずれかに記載の組成物。
【請求項８】  ＣＹＰ２Ａを阻害する前記物質がメトキサレン、クマリン及びトラニルシプロミンから成る群から選択される、請求項７に記載の組成物。
【請求項９】  経口投与用に製剤化される、請求項１〜８のいずれかに記載の組成物。
【請求項１０】  ＣＹＰ２Ｂ６の阻害剤をさらに含む、請求項１〜９のいずれかに記載の組成物。
【請求項１１】  前記状態が癌であり、ＣＹＰ２Ａ酵素の阻害が発癌物質への前発癌物質の代謝を阻害する、請求項１又は２に記載の組成物。
【請求項１２】  前記前発癌物質がＮ−ニトロソジエチルアミン、Ｎ−ニトロソジメチルアミン、及び４−（メチルニトロソアミノ）−１−（３−ピリジル）−１−ブタノンから成る群から選択されたＮ−ニトロソジアルキルアミンである、請求項１１記載の組成物。
【請求項１３】  前記状態が（ｉ）タバコ嗜癖；（ｉｉ）タバコ嗜癖を発現する危険性；（ｉｉｉ）喫煙関連癌を発現する危険性；及び（ｉｖ）ＣＹＰ２Ａ６によって発癌物質に転化する１種類以上の化合物への暴露から選択される、請求項１〜１２のいずれかに組成物。
【請求項１４】  （ａ）ニコチンと、（ｂ）（ｉ）ＣＹＰ２Ａ活性を阻害する物質；（ｉｉ）ＣＹＰ２Ａをコードする遺伝子の転写、翻訳又は両方を阻害する物質；及び（ｉｉｉ）ＣＹＰ２Ａをコードする遺伝子の全て又は一部を欠失させる物質から成る群から選択された１種類以上の物質とを含む、ニコチン置換療法の効果を強化するためのキット。
【請求項１５】  前記物質がＣＹＰ２Ａ６を阻害する物質であり、メトキサレン、プソラレン、トラニルシプロミン、ピロカルピン、クマリン、クロモン、エスクレチン、フェネルジン、パロキセチン、セレギリン及びパルギリンから成る群から選択される、請求項１４記載のキット。
【請求項１６】  個体が喫煙者になる危険性を判定する方法であって、個体におけるＣＹＰ２Ａ対立遺伝子の遺伝子型又は表現型を測定することを含み、突然変異対立遺伝子の存在が喫煙者になる危険性が減少したことを予言する前記方法。
【請求項１７】  個体が発癌する危険性を判定する方法であって、個体におけるＣＹＰ２Ａ対立遺伝子の遺伝子型又は表現型を測定することを含み、突然変異対立遺伝子の存在が発癌の危険性が減少したことを予言する前記方法。
【請求項１８】  前記ＣＹＰ２Ａ酵素がＣＹＰ２Ａ６である、請求項１６又は１７に記載の方法。
【請求項１９】  個体からのＤＮＡ含有身体サンプルをヒトシトクロムＰ４５０アイソザイムＣＹＰ２Ａ６の突然変異対立遺伝子の存在に関して分析することを含む、請求項１６〜１８のいずれかに記載の方法。
【請求項２０】  前記ＤＮＡ含有身体サンプルが体液、血液サンプル、血液血漿及び末梢白血球から選択される、請求項１９記載の方法。
【請求項２１】  ＣＹＰ２Ａ６の突然変異対立遺伝子を同定するための手段を含む、請求項１６〜２０のいずれかに記載の方法に用いるためのキット。
【請求項２２】  ＣＹＰ２Ａ６基質のある一定投与量を個体に投与する工程と、該個体からの身体サンプルにおいて前記ＣＹＰ２Ａ６基質のレベル又は前記ＣＹＰ２Ａ６基質の代謝産物のレベルを測定する工程とを含む、請求項１６〜２０のいずれかに記載の方法。
【請求項２３】  ＣＹＰ２Ａ６基質と、前記ＣＹＰ２Ａ６基質又は前記ＣＹＰ２Ａ６基質の代謝産物を定量するための手段とを含む、請求項２２記載の方法に用いるためのキット。
【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】  加熱によって流動性にされたホットメルト接着剤を、コーティング装置から実質的に非孔質の基材上に、前記コーティング装置と前記基材が接触することなく実質的に連続なフィルムとして放出し、次いで前記基材の表面上に配置することを含み、前記フィルムが約30g/m2未満の面積重量を有する、コーティング方法。
【請求項２】  加熱によって流動性にされたホットメルト接着剤を、実質的に連続な非孔質のフィルムの形態において、このフィルムを基材と接触させることなく供給し、このフィルムを剥離剤を塗布した基材上に配置し、次いで第二の基材上にトランスファーコートすることを含む、コーティング方法。
【請求項３】  加熱によって流動性にされた熱可塑性材料を、実質的に連続な非孔質のフィルムの形態において、このフィルムを基材と接触させることなく供給し、次いでこのフィルムを基材上にコートすることを含み、前記コーティングがコーティング温度において約1000ラジアン／secで約500ポアズ未満の複素粘性率を有することを特徴とする、コーティング方法。
【請求項４】  前記熱可塑性コーティングがコーティング温度において約１ラジアン／secで1000ポアズ未満の複素粘性率を有し、前記熱可塑性組成物が約160℃未満の温度においてコーティング装置から放出される、請求項３記載の方法。
【請求項５】  前記基材が、フィルム、ホイル、紙及びこれらの組合せからなる群より選ばれる、請求項１記載の方法。
【請求項６】  前記コーティング装置がスロットノズルである、請求項１記載の方法。
【請求項７】  前記コーティングが約10g/m2未満の面積重量を有する、請求項１記載の方法。
【請求項８】  ホットメルト接着剤組成物の連続コーティングにより基材に接着された透明なフィルムを含む積層体であって、前記コーティングが欠陥がなくかつ約30g/m2未満の面積重量を有する積層体。
【請求項９】  前記ホットメルト接着剤が透明である、請求項８記載の積層体。
【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】  少なくとも１ｍｌの体積を有し、乾燥または貯蔵中の劣化に敏感な生物学的活性または生存能力を有する、生物学的または薬学的サンプルの産業規模での保存方法であって、
保護剤を前記サンプルに添加することによる、減圧下でボイルする間に泡を形成するのに十分に濃縮した溶液または懸濁液の形成と、
４Ｔｏｒｒより低い減圧下でボイルして、機械的に安定な泡を作成する、前記溶液または懸濁液の第１の乾燥工程と、
第２の乾燥温度が０〜７０℃の範囲の選択された貯蔵温度より高い乾燥温度における、０〜１００℃の範囲の温度での、少なくとも１２時間にわたる減圧下での前記機械的に安定な泡の第２の乾燥工程と、
前記機械的に安定な泡の、前記選択された貯蔵温度への冷却、および
その当初の生物学的活性または生存能力の少なくとも２５％がサンプルにおいて維持されている、貯蔵期間後のサンプルの生物学的活性または生存能力の測定と
を含む方法。
【請求項２】  前記第２の乾燥工程が５０℃より高い温度である、請求項１記載の方法。
【請求項３】  前記第２の乾燥工程が７０℃より高い温度である、請求項１記載の方法。
【請求項４】  前記第２の乾燥工程が２４時間より長いかそれと同等の期間にわたる、請求項１記載の方法。
【請求項５】  前記第２の乾燥工程が３６時間より長いかそれと同等の期間にわたる、請求項１記載の方法。
【請求項６】  前記機械的に安定な泡が前記第２の乾燥工程の後減圧下で貯蔵される、請求項１記載の方法。
【請求項７】  前記機械的に安定な泡が前記第２の乾燥工程の後乾燥空気またはＮ2下で
貯蔵される、請求項１記載の方法。
【請求項８】  前記保護剤が単糖類、二糖類およびポリマーを含む、請求項１記載の方法。
【請求項９】  前記単糖がケトースである、請求項８記載の方法。
【請求項１０】  前記単糖がメチル化単糖類である、請求項８記載の方法。
【請求項１１】  前記二糖類がスクロースである、請求項８記載の方法。
【請求項１２】  前記ポリマーがヒドロキシエチルスターチ、ポリエチレングリコール、ポリビニルピロリドン、フィコール、デキストランおよび溶解性の天然および合成バイオ
ポリマーからなる群から選択される、請求項８記載の方法。
【請求項１３】  貯蔵期間後、前記乾燥された生物学的に活性な物質を水または水溶液で再水和する、請求項１記載の方法。
【請求項１４】  前記生物学的に活性な物質を前記サンプルの貯蔵温度より高い温度を有する水または水溶液で再水和する、請求項１３記載の方法。
【請求項１５】  前記生物学的に活性な物質を前記サンプルの貯蔵温度より低い温度を有する水または水溶液で再水和する、請求項１３記載の方法。
【請求項１６】  前記保護剤はメチル化単糖類および二糖類を含む、請求項１記載の方法。
【請求項１７】  前記ケトースがフルクトース、ソルボース、ピスコース、リブロース、キシルロース、エリトルロース、および１，３−ジヒドロキシジメチルケトンからなる群から選択される、請求項９記載の方法。
【請求項１８】  前記メチル化単糖は、メチル−α−D−グルコピラノシド、メチル−β
−D−グルコピラノシド、メチル−α−D−マンノピラノシド、メチル−β−D−マンノピ
ラノシド、メチル−α−D−ガラクトピラノシド、メチル−β−D−ガラクトピラノシド、メチル−α−D−アラビノピラノシド、メチル−β−D−アラビノピラノシド、メチル−α−D−キシロピラノシド、およびメチル−β−D−キシロピラノシドからなる群から選択される、請求項１０記載の方法。
【請求項１９】  前記第１の乾燥工程が−１５℃〜７０℃の範囲の温度で行われる、請求項１記載の方法。
【請求項２０】  第１の乾燥の前に、機械的に安定な泡の温度を第２の乾燥温度に上昇させ、前記サンプルの生物学的活性を保存するのに選択された割合で該温度が上昇する工程をさらに含む、請求項１記載の方法。
【請求項２１】  前記第２の乾燥工程が、少なくとも１番目の第２の乾燥温度から少なくとも２番目の第２の乾燥温度への第２の乾燥温度の上昇をさらに含む、請求項１記載の方法。
【請求項２２】  前記１番目の第２の乾燥温度が５℃〜２５℃の範囲であり、前記２番目の第２の乾燥温度が２５℃〜７０℃の範囲である、請求項２１記載の方法。
【請求項２３】  前記１番目の第２の乾燥温度での第２の乾燥が少なくとも１２時間続く、請求項２１記載の方法。
【請求項２４】  前記２番目の第２の乾燥温度での第２の乾燥が少なくとも２４時間続く、請求項２１記載の方法。
【請求項２５】  前記サンプルが細胞の懸濁液である、請求項１記載の方法。
【請求項２６】  第１の乾燥中の減圧が４Ｔｏｒｒ未満である、請求項１記載の方法。
【請求項２７】  ２０℃のガラス転移温度を有する機械的に安定な泡を含み、該機械的に安定な泡がメチル化単糖、二糖類および前記生物学的に活性な物質を含み、該生物学的に活性な物質が貯蔵期間後に少なくともその当初の活性の２５％を維持する、ガラス状態で保護された生物学的に活性な物質の貯蔵安定な組成物。
【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
ヒト椎間円板細胞をインビトロで増殖させる方法であって、
（ａ）  ヒト椎間円板組織を提供するステップと、
（ｂ）  該ヒト椎間円板組織を切り刻み、ヒト椎間円板細胞を含む切り刻まれた組織片を得るステップと、
（ｃ）  増殖し、ヒト椎間円板細胞の単層を形成する条件下で該切り刻まれた組織片を培養するステップであって、該単層のヒト椎間円板細胞は単離することができ、継代でさらに増殖させることができる、培養するステップと
を含む方法。
【請求項２】
前記切り刻まれた組織片が、プラスチックメッシュにより固定されている請求項1に記載の方法。
【請求項３】
ヒト椎間円板細胞の単層と、ヒト椎間円板の切り刻まれた組織片とを含み、該ヒト椎間円板細胞の単層の少なくとも一部が、該ヒト椎間円板の切り刻まれた組織片に付着している請求項２に記載の方法により得られるヒト椎間円板細胞培養体。
【請求項４】
前記切り刻まれた組織片が、血清、増殖因子類またはサイトカイン類の存在下で培養される請求項１に記載の方法。
【請求項５】
前記切り刻まれた組織片が、ウシ胎児血清の存在下で培養される請求項４に記載の方法。
【請求項６】
前記切り刻まれた組織片が、トランスフォーミング増殖因子β（TGF-β）の存在下で培養される請求項４に記載の方法。
【請求項７】
ヒト椎間円板細胞の単層と、ヒト椎間円板の切り刻まれた組織片とを含み、該ヒト椎間円板細胞の単層の少なくとも一部が、該ヒト椎間円板の切り刻まれた組織片に付着している請求項１に記載の方法により得られるヒト椎間円板細胞培養体。
【請求項８】
ヒト椎間円板細胞をインビトロの立体構造体中で培養する方法であって、
（ａ）  ヒト椎間円板組織を提供するステップと、
（ｂ）  該ヒト椎間円板組織を切り刻み、ヒト椎間円板細胞を含む切り刻まれた組織片を得るステップと、
（ｃ）  増殖し、ヒト椎間円板細胞の単層を形成する条件下で該切り刻まれた組織片を培養するステップであって、該単層のヒト椎間円板細胞は単離することができ、継代でさらに増殖させることができ、
（ｄ）  該単層から該ヒト椎間円板細胞を分離するステップと、
（ｅ）  該分離された細胞が、キャリア中で分散され、配置されて立体構造体を形成するように、該分離された細胞をキャリアに播種するステップと、
（ｆ）  該分散され、配置された細胞を、立体構造体中で培養するステップと
を含む方法。
【請求項９】
前記立体構造体が、細胞ウェルインサート中で形成される請求項８に記載の方法。
【請求項１０】
前記キャリアがアルギナートである請求項８に記載の方法。
【請求項１１】
前記キャリアがアガロースである請求項８に記載の方法。
【手続補正２】
【補正対象書類名】明細書
【補正対象項目名】０００５
【補正方法】変更
【補正の内容】
【０００５】
立体細胞培養は、軟骨細胞や椎間円板細胞集団を構成する少なくともいくつかの細胞に類似している細胞タイプに関しては好適な一つの培養方法であり、アガロース培養体に置かれると、単層培養において脱分化し、特徴のあるタイプIIコラーゲン細胞外マトリックス産生を再発現させることが知られている。これについては、Benya, P.D., Shaffer, J.D.執筆の「アガロースゲルでの培養の場合、脱分化軟骨細胞が分化コラーゲン表現型を再発現させる("Dedifferentiated chondrocytes reexpress the differentiated collagen phenotype when cultures in agarose gels")」、Cell, 30, 215-224 (1982)を参照のこと。
細胞培養手順は、ヒト椎間円板の線維輪（annulus）細胞を培養するために使用しうることが提案されている。細胞は、単層移植片培養体中で確立され、アルギナート化されたアガロースの立体増殖環境に播種することができる。H. E. Gruber, C. Fisher, B. Desai, A. Stasky, G. Hoelscher and E. N. Hanley, Jr., "Human Intervertebral Disc Cells From The Annulus: Three-dimensional Culture In Agarose Or Alginate And Responsiveness To TGF-β1," Experimental Cell Research, 235, 13-21 (1997); and H. E. Gruber, B. Desai, T.A. Loeb, C. Fisher and E. N. Hanley, Jr., "Transforming Growth Factor-β1(TGF-β) Regulates Proliferation And Proteoglycan Gene Expression In Diseased Human Intervertebral Disc Cells," Journal Of Bone And Mineral Research, Vol. 11, M473 (1996).
【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
上端部と底端部と内表面と外表面とを有する長尺なフィルターバッグと、
前記フィルターバッグにおけるその上端部と底端部との間の複数のプリーツと、
上端部および底端部を有する複数の長尺なワイヤーを備えてなるフィルターバッグかごと、を具備し、
前記ワイヤーは前記上端部および前記底端部において支持されると共に、前記バッグの外側であってかつ前記プリーツ内にのみ配置されており、
前記フィルターバッグは、前記内表面から前記外表面へと通過する、濾過されるガス流を受け入れるため吸入口を有することを特徴とするフィルターバッグアセンブリ。
【請求項２】
前記フィルターバッグの底端部に配置された吸入口と、前記フィルターバッグの前記上端部に固定されかつ前記上端部を閉塞する端部キャップと、を含むことを特徴とする請求項１に記載のフィルターバッグアセンブリ。
【請求項３】
前記フィルターバッグは布からなると共に、複数のプリーツによって形成されるＸ形状、三角形状、あるいは星形状からなるグループから選ばれた形状を有することを特徴とする請求項２に記載のフィルターバッグアセンブリ。
【請求項４】
前記フィルターバッグかごは複数の金属製ワイヤーからなることを特徴とする請求項１に記載のフィルターバッグアセンブリ。
【請求項５】
前記フィルターバッグかごは複数の金属製ワイヤーからなることを特徴とする請求項３に記載のフィルターバッグアセンブリ。
【請求項６】
前記フィルターバッグかごはモジュール式構造であることを特徴とする請求項４に記載のフィルターバッグアセンブリ。
【請求項７】
前記フィルターバッグかごはモジュール式構造であることを特徴とする請求項５に記載のフィルターバッグアセンブリ。
【請求項８】
前記フィルターバッグは、織布あるいは不織布、ラミネートあるいは発泡体被覆(foam coated)布からなるグループからなることを特徴とする請求項１に記載のフィルターバッグアセンブリ。
【請求項９】
前記布は、高あるいは低溶融材料の重合体あるいは金属被覆によって覆われていることを特徴とする請求項８に記載のフィルターバッグアセンブリ。
【請求項１０】
前記フィルターバッグは打ち延べた綿(batt)の層を具備してなることを特徴とする請求項８に記載のフィルターバッグアセンブリ。
【請求項１１】
上端部と底端部と内表面と外表面とを有する長尺なフィルターバッグと、
前記フィルターバッグにおけるその上端部と底端部との間の複数のプリーツと、
上端部および底端部を有する複数の長尺なワイヤーを備えてなるフィルターバッグかごと、を具備し、
前記ワイヤーは前記上端部および前記底端部において支持されると共に、前記バッグの外側で垂直方向に延在し、その一方でさらに前記プリーツ内に配置されるよう内側に放射状に延在しており、
前記フィルターバッグは、前記内表面から前記外表面へと通過する、濾過されるガス流を受け入れるため吸入口を有することを特徴とするフィルターバッグアセンブリ。
【請求項１２】
前記フィルターバッグの底端部に配置された吸入口と、前記フィルターバッグの前記上端部に固定されかつ前記上端部を閉塞する端部キャップと、を含むことを特徴とする請求項１１に記載のフィルターバッグアセンブリ。
【請求項１３】
前記フィルターバッグは布からなると共に、複数のプリーツによって形成されるＸ形状、三角形状、あるいは星形状からなるグループから選ばれた形状を有することを特徴とする請求項１２に記載のフィルターバッグアセンブリ。
【請求項１４】
前記フィルターバッグかごは複数の金属製ワイヤーからなることを特徴とする請求項１１に記載のフィルターバッグアセンブリ。
【請求項１５】
前記フィルターバッグかごは複数の金属製ワイヤーからなることを特徴とする請求項１３に記載のフィルターバッグアセンブリ。
【請求項１６】
前記フィルターバッグかごはモジュール式構造であることを特徴とする請求項１４に記載のフィルターバッグアセンブリ。
【請求項１７】
前記フィルターバッグかごはモジュール式構造であることを特徴とする請求項１５に記載のフィルターバッグアセンブリ。
【請求項１８】
前記フィルターバッグは、織布あるいは不織布、ラミネートあるいは発泡体被覆布からなるグループからなることを特徴とする請求項１１に記載のフィルターバッグアセンブリ。
【請求項１９】
前記布は、高あるいは低溶融材料の重合体あるいは金属被覆によって覆われていることを特徴とする請求項１８に記載のフィルターバッグアセンブリ。
【請求項２０】
前記フィルターバッグは打ち延べた綿の層を具備してなることを特徴とする請求項１８に記載のフィルターバッグアセンブリ。
【手続補正２】
【補正対象書類名】図面
【補正対象項目名】図５
【補正方法】変更
【補正の内容】
【図５】
2005527347.tif 000001
【手続補正書】
【提出日】平成16年6月18日(2004.6.18)
【手続補正１】
【補正対象書類名】明細書
【補正対象項目名】００１７
【補正方法】変更
【補正の内容】
【００１７】
【数３】
2005527257.tif 000001
Ｗｊ(ｐ(ｘ))における波形符号は、ｐの関数としてのコイル感度が画像領域においてのみ得られることを意味する。従って、Ｗｊ（ｐ）は、マッピングｐｓｅｎｓ（ｘ）によりＷｊ（ｘ）に変換される必要があり、空間領域と画像領域との間の関係は規定され、コイル感度が決定される走査プロトコルに対して考慮される。この理由のために、空間領域の一部は、有限要素１に副分割され、又は、図１に示したように、ユーザが規定した寸法を用いて立方体にする。各々の有限要素の中心は、有限要素の全体的なボリュームに対して表わされると仮定する。これら有限要素１は、空間（ｍ，ｐ）に投影され、ここで、ｍは測定方向における座標であり、ｐは位相符合化方向における座標である。コンピュータプログラムにより、座標を伴うマップは、有限要素から得られる。コンピュータプログラムは、国際コード番号ＸＪＳ−１５４−０８９２の下でＰｈｉｌｉｐｓ  Ｎ．Ｖ．において利用可能であって、文献、卒業論文“Ｒｅｄｕｃｔｉｏｎ  ｏｆ  Ｉｎｈｏｍｏｇｅｎｅｉｔｙ  ｒｅｌａｔｄ  Ｆｏｌｄｏｖｅｒ  Ａｒｔｅｆａｃｔｓ  ｉｎ  ＭＲ  Ｉｍａｇｉｎｇ  ｕｓｉｎｇ  Ｍｕｌｔｉｐｌｅ  Ｃｏｉｌ  Ｅｎｃｏｄｉｎｇ”ｏｆ  Ｊ．Ｊ．Ｍ．Ｚｗａｎｅｎｂｕｒｇ  ａｔ  Ｔｅｃｈｎｉｓｃｈｅ  Ｕｎｉｖｅｒｓｉｔｅｉｔ  Ｄｅｌｆｔに十分詳細に説明されている、プログラムＦＬＡＭＥの修正バージョンである。実際、特定の画素ｐにおいて画像化されるいずれかの領域についてのルジャンドル（Ｌｅｇｅｎｄｒｅ）多項式を用いる実際的なフィールド分布が、そのコンピュータプログラムにより演算される。探索される座標は、１つの画素にマッピングされる異なる領域のボリュームδＶ（ｘｉ）をもつ重心である。しかしながら、上記の今ピュタプログラムは重心ではなく、１つの画素にマッピングされる全ての有限要素を提供する。従って、また、アーチファクトを伴わない画像においては、幾つかの有限要素が１つの画素においてマッピングされる。マッピングされた有限要素の数は、特に、有限要素のサイズに依存している。いずれにしても、アーチファクトの数を規定するためには、有限要素は、図２に示すように、ボクセルにクラスター化される必要がある。位置ｘ１におけるクラスター１は測定されるべきスピン密度から伝導されるオリジナルの信号であって。クラスター２及び３はアーチファクトからの信号であると仮定する。関連する有限要素と個々のクラスター（ボクセル）を生成する有限要素との間の差分はこのコンピュータプログラムにより決定される。異なる有限要素群を区別するための基準は、１つのクラスターの有限要素は接続した領域を形成することである。各々のコイルに対して、Ｗｊ(ｐ)の三次元テーブルが利用可能であり、そのテーブルから、繰り返しアーチファクトをもつ画像における各々の画素に対してマトリクスＷｊ（ｘｉ）を構成することができる。従って、マトリクスＷｊ（ｘｉ）は、上記の有限要素（ＦＥ）法及びマップＰｓｅｎｓ（ｘ）を用いて演算される座標ｘ１、ｘ２、．．．、ｘＮにより得られる。折り返しアーチファクトより多くのコイルが利用可能である場合、直接又は最小二乗法アルゴリズムにより式（２）を解くことができる。Ｗｊ（ｘｉ）に新しく導���される行が悪条件又は０である場合、式（２）は毎回チェックされる必要がある。補正の後、空間領域において座標ｘ１（ｐ）の収集、即ち、全ての画素に対して、理想的な磁石及び完全な勾配が利用可能である場合、Ｉ（ｘ）が演算される画素ｐにマッピングされるポイントに対して最近接であるポイントｘｉ（ｐ）の座標の収集が、残っている。この分布Ｉ（ｘ）は、２つの異なる方式であって、非線形のオリジナルの画像の画素の位置において又はｘの線形関数である画素位置において、提供されることができる。両方の場合に、画像強度は、ボリュームサイズδＶの変化から生じる強度の変化のために補正される必要がある。そのような線形画像による補正は、少し複雑であり、また幾何学的な補正が必要とされる場合にのみ関心がもたれるものである。
【手続補正２】
【補正対象書類名】図面
【補正対象項目名】図５
【補正方法】変更
【補正の内容】
【図５】
2005527257.tif 000002
【手続補正書】
【提出日】平成16年8月3日(2004.8.3)
【手続補正１】
【補正対象書類名】明細書
【補正対象項目名】０１２８
【補正方法】変更
【補正の内容】
【０１２８】
ペプチド#3：NHCOCH3-CGLRPPKTKRAASDKHIQC-COOH
ペプチド#3は、ヒトShoca-1タンパク質配列の53位〜69位の17アミノ酸残基である。染色実験で使用される調製物を、後述のようにペプチド充填カラムを使用してアフィニティー精製した。精製した血清は、4回目の追加免疫後に一匹の動物から得られた。
【手続補正２】
【補正対象書類名】明細書
【補正対象項目名】０１３１
【補正方法】変更
【補正の内容】
【０１３１】
ペプチドShoca#4：NHCOCH3-DASGDFYSFLGVDPNRHC-CONH2
ペプチド#4は、ヒトShoca-1タンパク質配列の376位〜392位の17アミノ酸残基である。この配列ストレッチは、ヒトおよびマウスShoca-1と同一である。上記したようにペプチドを担体タンパク質に結合させ、ウサギに注射した。